(57)【要約】【課題】サーマルスタンパのメンテナンスをしやすくする取付具およびこれを備えるプリンタを提供する。【解決手段】取付具４は、取付軸３の周りに回転可能に取付軸３に装着され、サーマルスタンパ１を支持する本体部４０と、本体部４０に設けられたロックピン４１と、本体部４０に設けられ、ロックピン４１を取付軸３の外周面に向けて付勢する付勢部材とを備える。本体部４０が回転されてロックピン４１が付勢部材の付勢によって取付軸３の凹部３０に嵌ることで、本体部４０の回転が規制される。プリンタには、複数のサーマルスタンパ１が設けられる。取付具４が、複数のサーマルスタンパ１のそれぞれに対して設けられる。サーマルスタンパ１が本体部４０と共に回転されてそのサーマルヘッド１０がプラテン２から退避すると、ロックピン４１が凹部３０に嵌って、サーマルスタンパ１の位置がロックされる。【選択図】図４
0003218834.tif 000002
【実用新案登録請求の範囲】
【請求項１】
プラテンと、
サーマルヘッドと、転写リボンを着脱可能に支持し、前記転写リボンを、前記サーマルヘッドを経由するように送るリボン送り機構と、を有し、前記サーマルヘッドおよび前記転写リボンを用いて前記プラテン上で印刷媒体に印刷する複数のサーマルスタンパと、
外周面に凹部が形成された取付軸と、
前記複数のサーマルスタンパのそれぞれに対して設けられた取付具と、を備え、
前記取付具は、
前記取付軸の周りに回転可能に前記取付軸に装着され、前記サーマルスタンパを支持する本体部と、
前記本体部に設けられたロックピンと、
前記本体部に設けられ、前記ロックピンを前記取付軸の前記外周面に向けて付勢する付勢部材と、を備え、
前記サーマルスタンパは、前記本体部と共に前記取付軸の周りに回転されることで、前記プラテンに対して近接および離間することができ、
前記サーマルスタンパが回転されて前記プラテンから離間すると、前記ロックピンが前記付勢部材の付勢によって前記取付軸の前記凹部に嵌り、当該サーマルスタンパの位置がロックされる、
ことを特徴とするプリンタ。
【請求項２】
前記凹部は、前記取付軸の軸方向にのびている、
ことを特徴とする請求項１に記載のプリンタ。
【請求項３】
サーマルスタンパ用の取付具であって、
前記サーマルスタンパは、サーマルヘッドと、転写リボンを着脱可能に支持し、前記転写リボンを、前記サーマルヘッドを経由するように送るリボン送り機構と、を有し、前記サーマルヘッドおよび前記転写リボンを用いてプラテン上で印刷媒体に印刷するものであり、
前記取付具は、
外周面に凹部が形成された取付軸の周りに回転可能に前記取付軸に装着され、前記サーマルスタンパを支持する本体部と、
前記本体部に設けられたロックピンと、
前記本体部に設けられ、前記ロックピンを前記取付軸の前記外周面に向けて付勢する付勢部材と、を備え、
前記本体部が前記取付軸の周りに回転されて前記ロックピンが前記付勢部材の付勢によって前記凹部に嵌ることにより、前記本体部の回転が規制される、
ことを特徴とする取付具。
【請求項４】
前記本体部は、前記取付軸が挿入される軸孔と、前記ロックピンが挿通されるピン孔と、を有し、
前記ピン孔は、前記軸孔の径方向にのび、前記軸孔と当該軸孔の内周面において連通しており、
前記ロックピンは、前記付勢部材によって前記軸孔に向けて付勢された状態で前記ピン孔に挿入されている、
ことを特徴とする請求項３に記載の取付具。
【考案の詳細な説明】
【技術分野】
【０００１】
本考案は、サーマルスタンパによって印刷媒体に印刷するプリンタに関する。また、本考案は、当該サーマルスタンパ用の取付具に関する。
【０００２】
この種のプリンタは、例えば特許文献１、２に開示されており、従来から知られている。プリンタは、サーマルスタンパとプラテンとを備える。サーマルスタンパは、サーマルヘッドと、リボン送り機構とを有する。リボン送り機構は、転写リボンを着脱可能に支持し、転写リボンを、サーマルヘッドを経由するように送る。
【０００３】
サーマルスタンパは、サーマルヘッドと転写リボンとを用いて、プラテン上で、印刷媒体に印刷（印字も含まれる）する。サーマルスタンパは、様々なメンテナンスを必要とする。例えば、サーマルヘッド等の部品のメンテナンス、転写リボンの交換などがある。
【０００４】
ところで、複数のサーマルスタンパが並べて配置されることがある。この場合、あるサーマルスタンパをメンテナンスするとき、隣のサーマルスタンパがメンテナンスの邪魔になることがあった。
【先行技術文献】
【特許文献】
【０００５】
【特許文献１】特開平09-076573号公報
【特許文献２】特開平08-216478号公報
【考案の概要】
【考案が解決しようとする課題】
【０００６】
そこで、本考案は、サーマルスタンパのメンテナンスがしやすいプリンタを提供することを目的とする。また、本考案は、サーマルスタンパのメンテナンスをしやすくするための取付具を提供することを目的とする。
【課題を解決するための手段】
【０００７】
本考案の第１の態様によれば、プリンタが提供され、
前記プリンタは、
プラテンと、
サーマルヘッドと、転写リボンを着脱可能に支持し、前記転写リボンを、前記サーマルヘッドを経由するように送るリボン送り機構と、を有し、前記サーマルヘッドおよび前記転写リボンを用いて前記プラテン上で印刷媒体に印刷する複数のサーマルスタンパと、
外周面に凹部が形成された取付軸と、
前記複数のサーマルスタンパのそれぞれに対して設けられた取付具と、を備える。
前記取付具は、
前記取付軸の周りに回転可能に前記取付軸に装着され、前記サーマルスタンパを支持する本体部と、
前記本体部に設けられたロックピンと、
前記本体部に設けられ、前記ロックピンを前記取付軸の前記外周面に向けて付勢する付勢部材と、を備える。
前記サーマルスタンパは、前記本体部と共に前記取付軸の周りに回転されることで、前記プラテンに対して近接および離間することができる。
前記サーマルスタンパが回転されて前記プラテンから離間すると、前記ロックピンが前記付勢部材の付勢によって前記取付軸の前記凹部に嵌り、当該サーマルスタンパの位置がロックされる。
【０００８】
一実施形態では、前記凹部は、前記取付軸の軸方向にのびている。
【０００９】
本考案の第２の態様によれば、サーマルスタンパ用の取付具が提供される。
前記サーマルスタンパは、
サーマルヘッドと、
転写リボンを着脱可能に支持し、前記転写リボンを、前記サーマルヘッドを経由するように送るリボン送り機構と、を有し、
前記サーマルヘッドおよび前記転写リボンを用いてプラテン上で印刷媒体に印刷するものである。
前記取付具は、
外周面に凹部が形成された取付軸の周りに回転可能に前記取付軸に装着され、前記サーマルスタンパを支持する本体部と、
前記本体部に設けられたロックピンと、
前記本体部に設けられ、前記ロックピンを前記取付軸の前記外周面に向けて付勢する付勢部材と、を備える。
前記本体部が前記取付軸の周りに回転されて前記ロックピンが前記付勢部材の付勢によって前記凹部に嵌ることにより、前記本体部の回転が規制される。
【００１０】
一実施形態では、前記本体部は、前記取付軸が挿入される軸孔と、前記ロックピンが挿通されるピン孔と、を有する。
前記ピン孔は、前記軸孔の径方向にのび、前記軸孔と当該軸孔の内周面において連通する。
前記ロックピンは、前記付勢部材によって前記軸孔に向けて付勢された状態で前記ピン孔に挿入されている。
【考案の効果】
【００１１】
本考案によれば、サーマルスタンパのメンテナンスがしやすいプリンタが提供される。また、本考案によれば、サーマルスタンパのメンテナンスをしやすくするための取付具が提供される。
【図面の簡単な説明】
【００１２】
【図１】本考案の一実施形態に係るプリンタの斜視図である。
【図２】図２Ａは、図１の取付具を詳細に示し、図２Ｂは、図２Ａの右側面図である。
【図３】プラテンに近接したサーマルスタンパを示す。
【図４】プラテンから離間したサーマルスタンパを示す。
【図５】図４における取付具の部分拡大図である。
【図６】図４の状態のサーマルスタンパを含むプリンタの斜視図である。
【考案を実施するための形態】
【００１３】
以下、図面を参照して本考案の一実施形態に係るプリンタが説明される。
【００１４】
図１を参照して、プリンタは、複数のサーマルスタンパ１、プラテン２、取付軸３、複数の取付具４、および、固定軸５を備える。
【００１５】
プラテン２は、実施形態ではプラテンローラであり、不図示のプリンタフレームに回転可能に支持されている。プラテン２は、水平にのびている。複数のサーマルスタンパ１で、１つのプラテン２が共用されている。
【００１６】
取付軸３は、プリンタフレームに固定されている。取付軸３は、水平方向にのび、プラテン２と平行である。凹部３０が、取付軸３の外周面に形成されている。凹部３０は、実施形態では、取付軸３の軸方向にのび、溝状に形成されている。
【００１７】
取付具４は、サーマルスタンパ１のそれぞれに対して設けられている。サーマルスタンパ１は、取付具４に取り付けられている。取付具４は、取付軸３に並べて配置されている。したがって、サーマルスタンパ１は、取付軸３に沿って並んでいる。
【００１８】
固定軸５は、プリンタフレームに固定されている。固定軸５は、水平方向にのびている。プラテン２、取付軸３、および、固定軸５は、互いに平行である。実施形態では、固定軸５は、取付軸３から真下に離れて配置されている。
【００１９】
図２は、取付具４を詳細に示す。全ての取付具４は、図２と同一の構成を有する。図２Ａの通り、取付具４は、取付軸３の周りに回転可能に取付軸３に装着され、サーマルスタンパ１を支持する本体部４０と、本体部４０に設けられたロックピン４１と、本体部４０に設けられ、取付軸３の外周面に向けてロックピン４１を付勢する付勢部材４２と、を備える。
【００２０】
本体部４０は、取付軸３が挿入される軸孔４００と、ロックピン４１が挿入されるピン孔４０１とを有する。取付軸３が軸孔４００に挿入されていることで、本体部４０は、取付軸３の周りに回転可能となっている。ピン孔４０１は、軸孔４００の径方向にのび、軸孔４００に当該軸孔４００の内周面において連通している。
【００２１】
規制部材４３が本体部４０に固定され、ピン孔４０１の軸孔４００とは反対側の端に配置されている。ロックピン４１は、そのヘッドが外部からアクセスできるように規制部材４３の孔およびピン孔４０１に挿入されている。
【００２２】
付勢部材４２は、実施形態ではバネである。付勢部材４２は、ロックピン４１に外嵌され、ピン孔４０１内に配置されている。付勢部材４２は、ロックピン４１の径の大きな先端部分と規制部材４３との間で圧縮されている。
【００２３】
これにより、ロックピン４１は、付勢部材４２によって軸孔４００に向けて付勢された状態でピン孔４０１に挿入され、付勢部材４２は、取付軸３の外周面に向けてロックピン４１を付勢することができる。
【００２４】
図２Ａ、図２Ｂの通り、取付具４は、固定部材４４をさらに備える。固定部材４４は、長さ方向を有している。スリット４０２が、本体部４０に形成され、軸孔４００と直角にのびている。固定部材４４は、スリット４０２に嵌め込み可能であり、スリット４０２に沿って移動可能である。
【００２５】
スリット４０２は軸孔４００と当該軸孔４００の内周面において連通し、取付軸３は部分的にスリット４０２に露出する。したがって、固定部材４４をスリット４０２に嵌めて取付軸３に接触させることができる。
【００２６】
固定部材４４は、取付軸３と固定軸５との間隔より長い長さを有している。図２Ａの通り、固定部材４４の一端部をスリット４０２から固定軸５にまで突出させれば、固定部材４４を、取付軸３と固定軸５との両方に同時に接触させることができる。
【００２７】
取付具４は、固定ねじ４５をさらに備える。固定ねじ４５は、固定部材４４を本体部４０、取付軸３および固定軸５に向けて押し付けるために用いられる。長孔４４０（図２Ｂ）が、固定部材４４にその長さ方向に形成されている。固定ねじ４５は、長孔４４０を通って本体部４０に差し込まれている。したがって、固定部材４４は、長孔４４０の長さ範囲内で本体部４０に対して移動可能である。固定ねじ４５が作業者によって回されることで、固定部材４４を本体部４０に向けて押し付けること、および、その押付けを解除することができる。
【００２８】
図３は、取付具４に取り付られたサーマルスタンパ１を示す。全てのサーマルスタンパ１が、図３と同一の構成を有する。サーマルスタンパ１は、サーマルヘッド１０と、リボン送り機構１１とを備える。サーマルヘッド１０およびリボン送り機構１１は、スタンパフレーム１２に支持されている。
【００２９】
サーマルヘッド１０は、直線状の発熱ドット素子列からなる発熱体を含む。リボン送り機構１１は、転写リボン１３を着脱可能に支持する。リボン送り機構１１は、転写リボン１３を、巻き出し、サーマルヘッド１０を経由するように送り、巻き取る。サーマルヘッド１０およびリボン送り機構１１は、特許文献１、２と同様の周知の構成が用いられているので、その詳細な説明は省略される。
【００３０】
サーマルスタンパ１は、印刷条件の設定などのために作業者によって操作される操作パネル１４をさらに備える。操作パネル１４は、スタンパフレーム１２に支持されている。
【００３１】
サーマルスタンパ１は、上述の通り取付具４の本体部４０に支持されている。したがって、サーマルスタンパ１は、本体部４０と共に取付軸３の周りに回転される。そして、この回転によって、図３、図４の通り、サーマルスタンパ１は、プラテン２に対して近接および離間することができる。
【００３２】
図３のように、サーマルスタンパ１がプラテン２に近接しているとき、当該サーマルスタンパ１のサーマルヘッド１０はプラテン２に対向する。図４のように、サーマルスタンパ１がプラテン２から離間しているとき、当該サーマルスタンパ１のサーマルヘッド１０はプラテン２に対向しない。
【００３３】
取付具４がサーマルスタンパ１のそれぞれに対して設けられていることで、任意のサーマルスタンパ１を選択的に回転させることができる。
【００３４】
図３の通り、サーマルスタンパ１がプラテン２に近接しており、そのサーマルヘッド１０がプラテン２と対向しているとき、固定部材４４を取付軸３および固定軸５の双方に接触させることができる。このとき、軸当て４６は、固定部材４４と反対側で固定軸５に接触する。
【００３５】
固定部材４４が固定ねじ４５によって本体部４０、取付軸３、および固定軸５に向けて押し付けられると、取付軸３は固定部材４４と軸孔４００の内周面との間に挟まれ、かつ、固定軸５は固定部材４４と軸当て４６との間に挟まれる。これにより、取付具４の本体部４０の回転は規制され、サーマルスタンパ１の位置はロックされる。
【００３６】
図示されていないが、印刷媒体（例えばプラスチックフィルム）が、不図示の供給機構によって、互いに対向するサーマルヘッド１０とプラテン２との間に供給される。サーマルスタンパ１は、転写リボン１３をリボン送り機構１１によってサーマルヘッド１０を経由するように送り、サーマルヘッド１０および転写リボン１３を用いて、プラテン２上で印刷媒体に印刷（印字も含まれる）する。
【００３７】
このように、サーマルスタンパ１がプラテン２に近接しているとき、サーマルスタンパ１は印刷媒体に印刷することができる。なお、この状態では、ロックピン４１は、凹部３０には嵌っていない。
【００３８】
図１のように、複数のサーマルスタンパ１が印刷媒体に印刷する位置にあれば、あるサーマルスタンパ１をメンテナンスするとき、当該サーマルスタンパ１に対向している隣のサーマルスタンパ１が邪魔になる。例えば、サーマルヘッド１０をメンテナンスするとき、転写リボン１３を交換するとき、操作パネル１４を操作するとき等に、隣のサーマルスタンパ１が邪魔になる。
【００３９】
そこで、サーマルスタンパ１のメンテナンスをするとき、サーマルスタンパ１および取付具４は、以下のように操作される。
【００４０】
図３の状態において、まず、固定ねじ４５が作業者によって操作されて、固定部材４４の取付軸３および固定軸５への押付けが解除される。次いで、固定部材４４が、スリット４０２に沿って作業者によって上方に移動されて、固定軸５から離間される。これにより、取付具４の本体部４０の回転規制が解除される。すなわち、サーマルスタンパ１の位置がロック解除される。
【００４１】
次いで、図４の通り、サーマルスタンパ１が作業者によって本体部４０と共に回転されプラテン２から離間される。サーマルスタンパ１がプラテン２から一定角度回転されてプラテン２から離間すると、図５に最も良く示される通り、ロックピン４１が、付勢部材４２の付勢力によって取付軸３の凹部３０に嵌る。それによって、本体部４０の回転が規制され、サーマルスタンパ１の位置がロックされる。したがって、作業者が、サーマルスタンパ１および取付具４から手を離しても、これらは、自重で下方に回転することはない。作業者は、メンテナンス作業に取りかかることができる。
【００４２】
サーマルスタンパ１がこのように回転されてその位置がロックピン４１によってロックされることで、図６に示される通り、当該サーマルスタンパ１を隣のサーマルスタンパ１と対向させない状態にできる。当該サーマルスタンパ１の構成要素やこれにセットされた転写リボン１３にアクセスするとき、隣のサーマルスタンパ１が邪魔にならず、当該サーマルスタンパ１をメンテナンスしやすい。例えば、サーマルヘッド１０のメンテナンス、転写リボン１３の交換、操作パネル１４の操作がしやすい。
【００４３】
以上のように、この考案に係る取付具４およびプリンタは、複数のサーマルスタンパ１が並べて配置されている際のサーマルスタンパ１のメンテナンスをしやすくする。
【００４４】
メンテナンス後、ロックピン４１が作業者によって付勢部材４２に抗して凹部３０から引き抜かれる。それによって、本体部４０の回転規制が解除され、サーマルスタンパ１の位置がロック解除される。それから、サーマルスタンパ１が、図３の状態に戻される。
【００４５】
以上、本考案の好ましい実施形態について説明されたが、本考案は、上記の実施形態に限定されるものではない。
【００４６】
実施形態では、サーマルヘッド１０がプラテン２と対向する際のサーマルスタンパ１の位置をロックするために、固定軸５、固定部材４４、固定ねじ４５が用いられていたが、これに限定されない。他の構成を有するロック機構によって、サーマルヘッド１０がプラテン２と対向する際のサーマルスタンパ１の位置がロックされてもよい。
【００４７】
実施形態では、１つの凹部３０が、取付軸３の軸方向にのびる溝状に形成され、全ての取付具４によって共用されていた。これに代えて、複数の凹部が、取付軸３の軸方向に間隔をあけて形成されて、１つの凹部が１つの取付具４に割り当てられるようにしてもよい。
【符号の説明】
【００４８】
１  サーマルスタンパ
１０  サーマルヘッド
１１  リボン送り機構
１３  転写リボン
２  プラテン
３  取付軸
３０  凹部
４  取付具
４０  本体部
４００  軸孔
４０１  ピン孔
４１  ロックピン
４２  付勢部材
４４  固定部材
５  固定軸
【図１】
0003218834.tif 000003
【図２】
0003218834.tif 000004
【図３】
0003218834.tif 000005
【図４】
0003218834.tif 000006
【図５】
0003218834.tif 000007
【図６】
0003218834.tif 000008